(57)【特許請求の範囲】
【請求項１】
中空軸（１）の下部を横長に形成して横長部と成し，該横長部の前下部に車軸（２）を設け，該車軸（２）にプーリー（３）を取り付け，車軸（２）及びプーリー（３）の斜め後方左右に側プーリー（９），（９）を設け，中空軸（１）の中に車軸（４）を設け，該車軸（４）に駆動プーリー（５）を取り付け，ベルトにブラシを付けてブラシベルト（６）と成し，該ブラシベルト（６）をプーリー（３），側プーリー（９），駆動プーリー（５），側プーリー（９）に巻き付け，ブラシベルト（６）に靴をはかせた際、靴の中底を洗う下ブラシをブラシベルト（６）に設け，ブラシベルト（６）に靴をはかせた際，足の甲が当たる部分を洗う上ブラシをブラシベルト（６）に設け，ブラシベルト（６）に靴をはかせた際，車軸（４）が右左右左と回ると同時に上ブラシ，下ブラシ，ブラシベルト（６）が右左右左と靴の中をこすり動くことを特徴とするブラシベルト式靴洗い機。
【請求項２】
前記車軸（４）に後方軸とリングブラシ取り付け軸を取り付け、該後方軸に踵部を洗う後方ブラシを留め，リングブラシ取り付け軸に足の甲が当たる部分の上部を洗うリングブラシを取り付けたことを特徴とする請求項１記載のブラシベルト式靴洗い機。
【発明の詳細な説明】
【技術分野】
【０００１】この発明は、ベルトにブラシを付けた、靴洗い機に関するものである。
【背景技術】
【０００２】従来、靴を洗う際に、いろいろなタワシやブラシがあった。
【発明が解決しようとする課題】
【０００３】
しかし靴の中は洗いずらいため従来のタワシやブラシでは，きれいに洗い落とすということは，時間もかかりむづかしかった。とくに爪先の当たる部分は狭くて見えにくく，ひじょうに洗いずらかった。このために多くの人達が靴を洗うのをめんどくさがったり，また嫌がったりする子ども達も多くいた。このために，ついおろそかになり，いやな臭いや水虫などといった病気の原因にもなった。本発明は，これらの不便や問題を除くためにつくられたものである。
【課題を解決するための手段】
【０００４】
請求項１記載の発明は，中空軸（１）の下部を横長に形成して横長部と成し，該横長部の前下部に車軸（２）を設け，該車軸（２）にプーリー（３）を取り付け，車軸（２）及びプーリー（３）の斜め後方左右に側プーリー（９），（９）を設け，中空軸（１）の中に車軸（４）を設け，該車軸（４）に駆動プーリー（５）を取り付け，ベルトにブラシを付けてブラシベルト（６）と成し，該ブラシベルト（６）をプーリー（３），側プーリー（９），駆動プーリー（５），側プーリー（９）に巻き付け，ブラシベルト（６）に靴をはかせた際、靴の中底を洗う下ブラシをブラシベルト（６）に設け，ブラシベルト（６）に靴をはかせた際，足の甲が当たる部分を洗う上ブラシをブラシベルト（６）に設け，ブラシベルト（６）に靴をはかせた際，車軸（４）が右左右左と回ると同時に上ブラシ，下ブラシ，ブラシベルト（６）が右左右左と靴の中をこすり動くことを特徴とするブラシベルト式靴洗い機である。また請求項２記載の発明は，前記車軸（４）に後方軸とリングブラシ取り付け軸を取り付け、該後方軸に踵部を洗う後方ブラシを留め，リングブラシ取り付け軸に足の甲が当たる部分の上部を洗うリングブラシを取り付けたことを特徴とする請求項１記載のブラシベルト式靴洗い機である。また以下の実施例に示す本願発明であるブラシベルト式靴洗い機は，図２，図３に示すように，車軸（４）に後方軸（１１）を取り付け、該後方軸（１１）に後方ブラシ（１２）を留め，車軸（４）にリングブラシ取り付け軸（１０）を取り付け，該リングブラシ取り付け軸（１０）にリングブラシを取り付け，前記上ブラシに，上紐（３５）を通し，車軸（４）に設けた紐掛けプーリー（３４）に巻きつけ，前記下ブラシに下紐（３６）を通して互いに繋いだことを特徴とするブラシベルト式靴洗い機である。また該ブラシベルト式靴洗い機を動かすために，図１に示すように靴洗い台（２１）をつくり，該靴洗い台（２１）にハンドル（２２），クランク軸（２３），アーム（２４），アーム（２５），軸（２６），傘歯車（２７）を設け，車軸（４）の上に傘歯車（２８）を設け，車軸（４）の下に靴乗せ板（３０）を設け，さらには該靴乗せ板（３０）を支えるバネ（３１），及び該靴乗せ板（３０）を適当な位置で止める止め板（３２）を設けたものである。
【作用】
【０００５】
靴乗せ板（３０）を手で押さえ，下に押さえたままブラシベルト（６）に靴をはかせ，靴乗せ板（３０）から手を緩め，靴の中に洗剤や水を入れ，靴の甲に当たる部分をつかみ，ハンドル（２２）を回す。するとクランク軸（２３），アーム（２４），アーム（２５）の働きで傘歯車（２７），車軸（４）の上に設けた傘歯車（２８）が右左右左と回り，同時に車軸（４）から駆動プーリー（５）に該動きが伝わり，上ブラシ及び下ブラシを設けたブラシベルト（６）は，右左右左と靴のなかをゴシゴシとこすり動くので，靴を前後左右と，靴乗せ板（３０）の上を，洗いたい部分へ滑らしながら移動させ，靴の中を素早くきれいに洗えるものであります。
【実施例】
【０００６】
以下、本発明の実施例について説明する。
中空軸（１）の下部を横長に形成して横長部と成し，該横長部の前下部に，車軸（２）を設け，該車軸（２）にプーリー（３）を取り付ける。該車軸（２）及びプーリー（３）の斜め後双方に，靴の中の側部を洗いやすくするため，また右片方の靴，左片方の靴，左右どちらの靴でも洗えるように側プーリー（９），（９）を設ける。そして中空軸（１）の中に車軸（４）を設け，該車軸（４）に駆動プーリー（５）を取り付ける。またこの中空軸（１）に，図３に示すように作動口（１８）と，作動口（１７）を前と後に設け，後方軸（１１）を，この作動口（１７）を通して車軸（４）に取り付け，同じくリングブラシ取付け軸（１０）を作動口（１８）を通して車軸（４）に取り付ける。そしてプーリー（３），側プーリー（９），（９），駆動プーリー（５）の下に，下ブラシ滑り歯車カバー（７）を設け，ベルトにブラシを付けてブラシベルト（６）と成し，ブラシベルト（６）に靴をはかせた際、靴の中底を洗う下ブラシをブラシベルト（６）に設け，ブラシベルト（６）に靴をはかせた際，足の甲に当たる靴の部分を洗う上ブラシをブラシベルト（６）に設け，該ブラシベルト（６）をプーリー（３），側プーリー（９），駆動プーリー（５），側プーリー（９）に巻き付け，後方ブラシ（１２）を後方軸（１１）に留める。そしてリングブラシ（３３）をリングブラシ取付け軸（１０）に取り付ける。また上ブラシ（１３），（１４），（１４），（１５），（１５），（１６），（１６）に上紐通し穴（３７）を開けて，上紐（３５）を該上ブラシ（１３），（１４），（１４），（１５），（１５），（１６），（１６）のそれぞれの上紐通し穴（３７）に通して中空軸（１）の紐通し穴（４０）に通し，車軸（４）に設けた紐巻きプーリー（３４）に，図４に示すように取り付ける。そして図５に示すように下ブラシ（２０）のそれぞれの下紐通し穴（３８）に下紐（３６）を通し互いに繋ぐ。上紐（３５）を上紐通し穴（３７）を通して繋ぎ，下紐（３６）を下紐通し穴（３８）を通して繋ぐことによって上ブラシ及び下ブラシそれぞれが，どんな動きにも安定したバランスを保って動くことができるようにしたものである。本発明はこのような特徴のあるブラシベルト式であるからこれらブラシを動かすために，また靴洗い作業をしやすくするために，靴洗い台（２１）をつくり，これにハンドル（２２）を設け，クランク軸（２３），アーム（２４），アーム（２５），軸（２６），傘歯車（２７），傘歯車（２８），そしてこれらの下に，靴乗せ板（３０），そして靴乗せ板（３０）を支えるバネ（３１），靴乗せ板（３０）が適当な位置で止まるように設けた止め板（３２）を設けたブラシベルト式靴洗い機である。本発明は以上のような構造でこれを使用する際は，靴乗せ板（３０）を手で押さえ、下に押さえたままブラシベルト（６）に靴をはかせる。靴乗せ板（３０）から手をゆるめ，靴の中に洗剤や水を入れて，靴の甲になる部分をつかみハンドル（２２）を回すと，クランク軸（２３），アーム（２４），アーム（２５）の働きで，傘歯車（２７），車軸（４）の上に設けた傘歯車（２８）が，右左右左と回り，同時に該動きが車軸（４），駆動プーリー（５）に伝わり上ブラシ及び下ブラシが設けられたブラシベルト（６）も，右左右左と靴の中でこすりながら回るので，靴を前後左右に靴乗せ板（３０）の上を，洗いたい部分へ滑らしながら移動させる。同時に靴の中底は，図３に示すように，下ブラシ（２０）と靴乗せ板（３０）との間に，バネ（３１）の力で挟まれて，洗えるようにしたものであります。したがって本発明に係る下ブラシ（２０）それぞれは，靴の中底を洗うために設けたものであり，上ブラシ（１３），（１４），（１４）は，爪上や指上部を洗えるように設けられたブラシである。上ブラシ（１５），（１５）は，指上や足の甲が当たる部分を洗えるように設けたブラシである。上ブラシ（１６），（１６）は足の甲が当たる部分とこの側を洗えるように設けたものである。またリングブラシ（３３）は足の甲が当たる部分の上部と，この周囲を洗えるように設けたものである。そして後方ブラシ（１２）は，踵部と，この側を洗うために設けたブラシである。以上のような構成であるから，ブラシベルト（６）の動きは一回転するものではないから靴を洗う際に靴紐などが靴の中に入っても，ブラシベルト（６）に絡まったりすることなく洗えるものであります。また本発明は従来のタワシやブラシ同様，靴を洗う際に，水や洗剤水を常に使用しますので，ブラシやベルトなどに摩擦といったものがなく安全なものであります。また本発明は下ブラシ滑り歯車カバー（７）を，プーリー（３），側プーリー（９），（９），駆動プーリー（５）を下から塞ぐようにして取り付けてありますので、これが安全カバーの役目にもなるようになされたものでありますので，危険といったものがなく安全なもので誰でも使用ができるものであります。つぎに図６に示すように，これらのブラシの動きを，よりスムーズに動かすために，ローラー（１９）を設けたものであります。したがって本発明は，ブラシベルトをより効果的に動かすために，靴洗い台（２１）の上部に小型モーターなどを取りつけて動かすようにすれば，両手をうまく使って洗うことができ，よりまた短時間に洗えるようになるので，より便利になるというものであります。つぎに本発明は，従来のタワシ同様，水を常に使用しますので，図７に示すように，給水口（４４）を設け，これにホースを繋ぎ，洗ったり濯いだりもできるものであります。したがって図７に示すような形にして，手持ち式につくり，これにバッテリー（４３）及び小型モーター（４２）を中に取付け，移動ができて，靴の外面も洗えるようにできるものであります。さらにこの中に小さなミニポンプを設け，水が必要時に水の吸いこみができるようにして，お風呂の残り湯などを使って，靴を洗ったり，濯いだりができるものであります。また本発明は図７に示すような構造で，このような形にすれば，従来のタワシのようにゴシゴシと力を入れてこすらなくても，スイッチを入れ，手で押さえたまま，洗ったり濯いだりが簡単にできるものであります。たとえばお風呂場の床やタイルなども楽に洗いながら，流すことができるものであります。
【発明の効果】
【０００７】
したがって本発明は，以上のような構造であるから運動靴や作業靴などの中に染みついた汗や油泥などの汚れも爪先から踵まで，きれいに早く，しかも短時間で洗い落すことができるので便利であります。このために靴の中が清潔になり，水虫といった病気も数少なくなると思います。また本発明は図７に示すように，手持ち形にすれば，色々な場所で色々な場所を洗ったり濯いだりができるものであり便利であります。
【図面の簡単な説明】
【０００８】
【図１】本発明の側面図である。
【図２】本発明の断面図である。
【図３】本発明の使用状態を示す断面図である。
【図４】本発明の平面図で一部断面図である。
【図５】本発明の底面図である。
【図６】本発明の一部断面図である。
【図７】本発明の断面図である。
【図８】本発明の平面の断面図である。
【符号の説明】
【０００９】
１  中空軸
２  車軸
３  プーリー
４  車軸
５  駆動プーリー
６  ブラシベルト
７  下ブラシ滑り歯車カバー
８  車軸
９  側プーリー
１０  リングブラシ取付け軸
１１  後方軸
１２  後方ブラシ
１３  上ブラシ
１４  上ブラシ
１５  上ブラシ
１６  上ブラシ
１７  作動口
１８  作動口
１９  ローラー
２０  下ブラシ
２１  靴洗い台
２２  ハンドル
２３  クランク軸
２４  アーム
２５  アーム
２６  軸
２７  傘歯車
２８  傘歯車
２９  歯車カバー
３０  靴乗せ板
３１  バネ
３２  止め板
３３  リングブラシ
３４  紐掛けプーリー
３５  上紐
３６  下紐
３７  上紐通し穴
３８  下紐通し穴
３９  ベルト支え板
４０  紐通し穴
４１  電気スイッチ
４２  モーター
４３  バッテリー
４４  給水パイプ
４５  排水口
【図１】
0004551269.tif 000002
【図２】
0004551269.tif 000003
【図３】
0004551269.tif 000004
【図４】
0004551269.tif 000005
【図５】
0004551269.tif 000006
【図６】
0004551269.tif 000007
【図７】
0004551269.tif 000008
【図８】
0004551269.tif 000009